(57)【要約】【課題】  コンセントが不足している作業環境において、コードレス電動工具用充電器を使用するために既にコンセントに接続されている電動工具や家電製品のコードを外し、差し替えるといった煩わしい作業をなくすことが可能な工具用充電器を提供すること。【解決手段】  リード線１３を介して制御回路基板７から電力が供給される少なくとも１個の補助コンセント９をコードレス電動工具用充電器１に内蔵した。【選択図】  図１
2005295750.tif 000002
【特許請求の範囲】
【請求項１】
充電しようとする蓄電池を保持するための蓄電池保持部を有する外枠内に、蓄電池に設けられた端子と接触し、電力を供給すると共に充電制御のために必要な各種情報を蓄電池から取得するための充電端子、充電を制御する制御回路基板を内蔵し、外部電源から制御回路基板に電力を供給する電源コードを備えたコードレス電動工具用充電器であって、
一般の電気機器を接続、使用することができる少なくとも１個の補助コンセントを設けたことを特徴とするコードレス電動工具用充電器。
【請求項２】
前記補助コンセントへの電力供給の開始、終了を切り替えることができるスイッチを設けたことを特徴とする請求項１記載のコードレス電動工具用充電器。
【請求項３】
前記補助コンセントへの電力の供給量を所定範囲以下に制限する保護回路を設けたことを特徴とする請求項１記載のコードレス電動工具用充電器。
【請求項４】
前記補助コンセントへの電力が、蓄電池充電動作の開始、終了と連動して開始、終了されることを特徴とする請求項１記載のコードレス電動工具用充電器。
【発明の詳細な説明】
【技術分野】
【０００１】
本発明はコードレス電動工具用充電器に関するものである。
【背景技術】
【０００２】
図９〜図１２を参照して例えば特許文献１により提案したコードレス電動工具用充電器２１について説明する。コードレス電動工具用充電器２１の外枠部は上下二つに分割されており、充電される蓄電池を挿入し保持するための穴２２が設けられた外枠２３、２４で構成される空間内に、蓄電池に設けられた各端子に接触する位置に設置され、蓄電池に電力を供給すると共に充電制御のために必要な各種情報を蓄電池から取得する充電端子２５、充電端子２５とリード線２６で接続され、充電を制御する制御回路基板２７が内蔵されている。また、制御回路基板２７には、外部からの電力を供給するための電源コード２８が接続されている。充電端子２５とリード線２６、制御回路基板２７、電源コード２８は、それぞれ外枠２３、２４によって挟まれるように位置決め保持されており、外枠２３、２４はねじ２９によって固定されている。
【０００３】
【特許文献１】特開平１−３１９２７０号公報
【発明の開示】
【発明が解決しようとする課題】
【０００４】
コードレス電動工具は電源コードがないという特質上、建設現場等の近くに常設の電源が無い場所で良く使われている。そのような場所では仮設電源が使われる場合が多く、元々のコンセント数が少ない上、数種類の電動工具を使ったり、ラジオや湯沸しポット等の家電製品も同時に使用されることが多い。そのためコンセントに空きが無いという状況になっている。コードレス電動工具用充電器は蓄電池を充電する時だけ電源に接続すれば良いが、そのために複数の電動工具や家電製品を接続されているコンセントから外して良いコードを見極め、差し替える作業は煩わしいものとなっている。
【０００５】
本発明の目的は、上記した従来技術の欠点をなくし、他の電気機器をコンセントから外す必要がないコードレス電動工具用充電器を提供することである。
【課題を解決するための手段】
【０００６】
上記目的は、コードレス電動工具用充電器に電気機器を接続、使用することが可能な補助コンセントを内蔵することにより達成される。
【発明の効果】
【０００７】
本発明によれば、コードレス電動工具用充電器に電気機器を接続、使用することが可能な補助コンセントを内蔵したので、コードレス電動工具用充電器を使用するために既にコンセントに接続されている電動工具や家電製品のコードを外し、差し替えるといった煩わしい作業をなくすことができ、コンセントの不足を解消するための一助となることが期待できる。また補助コンセントへの電力供給が、蓄電池充電動作の開始、終了と連動して開始、終了されるように設定されたコードレス電動工具用充電器であれば、例えば補助コンセントにラジオ等の音響機器を接続しておけば、コードレス電動工具用充電器から離れた場所にいても、音によって蓄電池の充電開始、終了を認識し易くすることができる。
【発明を実施するための最良の形態】
【０００８】
図１〜図８を用いて本発明コードレス電動工具用充電器１の一実施形態を説明する。コードレス電動工具用充電器１の外枠部は上下二つに分割されており、充電する蓄電池を挿入し保持するための穴２が設けられた外枠３と外枠４で構成される空間内に、蓄電池の各端子に接触する位置に設置され、蓄電池に電力を供給すると共に充電制御のために必要な各種情報を蓄電池から取得する充電端子５、充電端子５とリード線６を介して接続され、充電を制御する制御回路基板７が内蔵されている。また、制御回路基板７には外部からの電力を供給するための電源コード８が接続されている。制御回路基板７からは補助コンセント９に電力を供給するためのリード線１０が引き出されおり、一定以上の電流が流れると回路を遮断、一定時間後に自動で復帰する保護素子１１、電力供給の開始、終了を機械的に切り替えるスイッチ１２及びリード線１３を介して補助コンセント９に接続されている。充電端子５とリード線６、制御回路基板７、電源コード８、補助コンセント９、スイッチ１２は、それぞれ外枠３と外枠４によって挟まれるように位置決め、保持されており、外枠３と外枠４はねじ１４によって固定されている。
【０００９】
上記実施形態においては１個の補助コンセント９を設けるとしたが複数のコンセント９を設けてもよいことは明らかである。また補助コンセント９への電力の供給が、蓄電池の充電動作と開始、終了と連動して開始、終了されるようにしても良い。
【図面の簡単な説明】
【００１０】
【図１】コードレス電動工具用充電器の内部構造を示す平面図。
【図２】コードレス電動工具用充電器の平面図。
【図３】コードレス電動工具用充電器の正面図。
【図４】コードレス電動工具用充電器の右側面図。
【図５】コードレス電動工具用充電器を構成するスイッチの平面図。
【図６】コードレス電動工具用充電器を構成するスイッチの正面図。
【図７】コードレス電動工具用充電器を構成する補助コンセントの平面図。
【図８】コードレス電動工具用充電器を構成する補助コンセントの正面図。
【図９】従来の充電器の内部構造の一例を示す上面図。
【図１０】従来の充電器の平面図。
【図１１】従来の充電器の正面図。
【図１２】従来の充電器の右側面図。
【符号の説明】
【００１１】
７：制御回路基板、９：補助コンセント、１２：スイッチ
【図１】
2005295750.tif 000003
【図２】
2005295750.tif 000004
【図３】
2005295750.tif 000005
【図４】
2005295750.tif 000006
【図５】
2005295750.tif 000007
【図６】
2005295750.tif 000008
【図７】
2005295750.tif 000009
【図８】
2005295750.tif 000010
【図９】
2005295750.tif 000011
【図１０】
2005295750.tif 000012
【図１１】
2005295750.tif 000013
【図１２】
2005295750.tif 000014